(57)【要約】【課題】負荷時タップ切換器の油槽の接点以外の部分に荷重をかけることなく、油槽の接点の荷重と変位の測定を容易に実施可能な接点荷重測定装置を提供する。【解決手段】接点荷重測定装置は、接点８からの反力を受けて荷重測定する荷重計１１と、荷重計と連結されて荷重計を水平方向へ移動させる動作機構１２と、荷重計の変位を測定する変位計１３と、これらの荷重計、動作機構、変位計を支持する支持ユニット１４を備える。支持ユニットは、荷重計、動作機構、変位計を下部に取り付ける支柱１５とこの支柱の上部から水平方向に延設された支持枠１６とからなり、支柱を油槽１の上部開口４から油槽内に挿入して支持枠をフランジ５に載置することで、荷重計を接点の取り付け高さに保持し、この状態で、動作機構によって荷重計を水平方向に移動させて接点と接触させることにより、接点の荷重と変位を測定する。【選択図】図１
2010141214.tif 000002
【特許請求の範囲】
【請求項１】
上部開口型の容器内に取り付けられて水平方向に付勢された接点の荷重を測定する接点荷重測定装置において、
前記接点からの反力を受けて荷重測定する荷重計と、
この荷重計と機械的に連結されて荷重計を水平方向へ移動させる動作機構と、
前記荷重計の変位を測定する変位計と、
前記荷重計、動作機構、変位計を下部に取り付ける支柱とこの支柱の上部から水平方向に延設された支持枠とからなり、支柱を前記容器の上部開口から容器内に挿入して支持枠を上部開口縁部上に載置することで、荷重計、動作機構、変位計を支持し、かつ、荷重計を前記接点の取り付け高さに保持する支持ユニットを備えた
ことを特徴とする接点荷重測定装置。
【請求項２】
上部開口型の容器内に取り付けられて水平方向に付勢された接点の荷重を測定する接点荷重測定装置において、
前記接点からの反力を受けて荷重測定する荷重計と、
この荷重計と機械的に連結されて荷重計を水平方向へ移動させる動作機構と、
前記荷重計の変位を測定する変位計と、
前記荷重計、動作機構、変位計を下部に取り付ける支柱とこの支柱の上部から水平方向に延設された支持枠とからなり、支柱を前記容器の上部開口から容器内に挿入して支持枠を上部開口縁部上に載置することで、荷重計、動作機構、変位計を支持し、かつ、荷重計を前記接点の取り付け高さに保持する支持ユニットとを備え、
前記荷重計は、前記接点の取り付け高さに応じて決められた前記支柱の取り付け箇所に着脱可能に取り付けられ、
前記支柱の前記取り付け箇所に前記荷重計と代替的に着脱可能に取り付けられて前記接点を清掃する清掃用アタッチメントを備えた
ことを特徴とする接点荷重測定装置。
【請求項３】
前記動作機構は、全体寸法を伸縮させる方式の動作機構であり、伸縮方向における一端で、前記接点の取り付け高さに応じて決められた前記支柱の取り付け箇所に取り付けられ、伸縮方向における他端に前記荷重計が取り付けられている
ことを特徴とする請求項１または請求項２に記載の接点荷重測定装置。
【請求項４】
前記動作機構は、全体寸法を伸縮させる方式であり、伸縮方向における一端で、前記接点の取り付け高さに応じて決められた前記支柱の取り付け箇所に取り付けられ、伸縮方向における他端に前記荷重計が取り付けられ、
前記変位計は、全体寸法を伸縮させる方式であり、伸縮方向における一端で、前記支柱の取り付け箇所の近傍に取り付けられ、伸縮方向における他端に前記荷重計が機械的に連結されている
ことを特徴とする請求項１または請求項２に記載の接点荷重測定装置。
【請求項５】
前記荷重計と変位計により得られた前記接点の荷重と変位を示す電気信号を伝送する伝送手段と、
この伝送手段により伝送された電気信号を受信してディジタル処理し、前記接点の荷重と変位に関するデータを画面表示すると共に電子データとして保存する制御装置を備えた
ことを特徴とする請求項１または請求項２に記載の接点荷重測定装置。
【請求項６】
前記支柱に取り付けられて支柱の歪を検出する検出器
を備えたことを特徴とする請求項１または請求項２に記載の接点荷重測定装置。
【請求項７】
上部開口型の容器内に取り付けられて水平方向に付勢された接点の荷重を測定する接点荷重測定方法において、
前記接点からの反力を受けて荷重測定する荷重計と、
この荷重計と機械的に連結されて荷重計を水平方向へ移動させる動作機構と、
前記荷重計の変位を測定する変位計と、
前記荷重計、動作機構、変位計を下部に取り付ける支柱とこの支柱の上部から水平方向に延設された支持枠とからなり、支柱を前記容器の上部開口から容器内に挿入して支持枠を上部開口縁部上に載置することで、荷重計、動作機構、変位計を支持し、かつ、荷重計を前記接点の取り付け高さに保持する支持ユニットとを備えた接点荷重測定装置を用いて、
前記接点の荷重を測定する際には、前記接点の取り付け高さに応じて決められた前記支柱の取り付け箇所に前記荷重計を着脱可能に取り付けた状態で、前記支持ユニットの支柱を容器の上部開口から容器内に挿入して支持枠を上部開口縁部上に載置することで、荷重計を接点の取り付け高さに保持し、この状態で、動作機構によって荷重計を水平方向に移動させて接点と接触させることにより、接点の荷重と変位を測定し、
前記接点を清掃する際には、前記荷重計を前記支柱の前記取り付け箇所から取り外してこの取り付け箇所に清掃用アタッチメントを取り付けて接点と接触させることにより、接点を清掃する
ことを特徴とする接点荷重測定方法。
【発明の詳細な説明】
【技術分野】
【０００１】
本発明は、上部開口型の容器内に取り付けられて水平方向に付勢された接点の荷重を測定する接点荷重測定装置に関するものであり、特に、負荷時タップ切換器の油槽の接点の荷重測定に適した接点荷重測定装置に関する。
【背景技術】
【０００２】
負荷時タップ切換器は、変圧器の運転中すなわち負荷時に変圧器タップ巻線のタップを切り換える装置であり、一般的に、タップを選択するタップ選択器と、選択されたタップに回路を切り換える切換開閉器とから構成される。このうち、切換開閉器は、通電状態で回路を切り換えるために、変圧器本体とは別の油槽内に収納され、油槽内に満たされた絶縁油中で接点の切換動作を行うようになっている。
【０００３】
図５は、このようなタップ選択器、切換開閉器、油槽から構成される負荷時タップ切換器の構成を示す模式図である。この図５に示すように、油槽１は上部開口型の垂直配置された円筒状容器であり、この油槽１中には切換開閉器２が収納され絶縁油で満たされている。また、タップ選択器３は、油槽１の下方の、油槽１と上下に重なる位置に設置されている。上部開口４縁部にはフランジ５が設けられており、上部開口４を覆う蓋６がこのフランジ５上に載置されて取り付けられることで、油槽１が密閉されるようになっている。
【０００４】
切換開閉器２とタップ選択器３との電気的接続は、油槽１とタップ選択器３との間に設けられた接触器７によって行われるようになっており、この接触器７は、油槽１下部の内壁面に取り付けられてバネ等の付勢手段により水平方向に付勢された接点８を含む。変電所等の現地における変圧器の据付に際して、負荷時タップ切換は、図５に示すような完成状態で変圧器本体に取り付けられる。この場合、負荷時タップ切換器は、例えば、油槽１の上部開口４縁部に設けられたフランジ５により変圧器本体のカバーから吊り下げる形で取り付けられる。
【特許文献１】特開平３−２６１３２２号公報
【発明の開示】
【発明が解決しようとする課題】
【０００５】
ところで、図５に示したような従来の負荷時タップ切換器において、油槽１の接点８は、バネ等の付勢手段により水平方向の前方（接触側）に付勢されているが、負荷時タップ切換器の完成後の変圧器据付状態において、この油槽１の接点８の荷重や変位を測定することは容易ではなかった。この点について以下に説明する。
【０００６】
まず、図５に示すような完成状態から油槽１の接点８の荷重や変位を測定しようとする場合、典型的には、切換開閉器２を油槽１から吊り出して絶縁油を抜き取った後、手作業で油槽１の上部開口４から油槽１中に汎用の測定器（荷重計や変位計）を挿入して接点８に接触させる方法が考えられる。しかし、概して、油槽１の接点８は、上部開口４から手を入れても届かないような油槽１下部の内壁面に位置しているため、汎用の測定器を接点８の取り付け高さまで挿入して接触させる作業は容易ではない。
【０００７】
また、接点８の水平方向における位置は上方からの目視で把握可能であるが、接点８の正確な高さを上方からの目視で把握することは容易ではない。そのため、荷重を測定しようとする際に、仮に荷重計を接点８近傍まで挿入できたとしても、荷重計の高さを接点８の高さに一致させることは容易ではなく、荷重計の高さが接点８の上下方向にずれた状態で、油槽１の接点８周辺の壁面部分に誤って荷重をかけてしまい、その部分が変形する可能性もある。油槽１は、本質的に、変圧器本体と切換開閉器２の間の絶縁油を遮断する機能を担っているが、油槽１の変形は、このような遮断機能を低下させる原因となってしまう。
【０００８】
一方、負荷時タップ切換器においては、切換開閉器２の接点の切換動作のたびにその接点間にアーク放電が起こり、黒いスラッジ等が発生するため、切換開閉器２の動作回数に比例して油槽１中の絶縁油の汚損が進む。これに対して、従来、負荷時タップ切換器の運転継続中に油槽１中の絶縁油を活線浄油機により常態的にろ過して異物を除去する等の絶縁油浄化方式が採用されている。
【０００９】
しかし、活線浄油機により常態的に絶縁油をろ過しても、長期間使用しているうちに、油槽１内の絶縁油の汚損は進み、油槽１底部の接点８も真っ黒に汚れてしまう。そのため、定期的に負荷時タップ切換器の運転を停止して絶縁油の交換および接点の清掃を行う必要があった。このうち、接点８の清掃は、接点８が油槽１下部の内壁面に位置しているため、荷重の測定と同様に容易ではなかった。
【００１０】
従来、図５に示すような完成状態の負荷時タップ切換器における油槽の接点を対象として接点の荷重測定、変位測定や清掃を容易に行うための装置は存在していない。変圧器本体のタップ接点に関しては、タップ切換回数に基づいてタップ接点の交換時期を予知する技術（特許文献１参照）等が存在しているが、負荷時タップ切換器の油槽の接点を監視対象として特化された技術は存在していない。
【００１１】
本発明は、上記問題を解決するために提案されたものであり、その第一の目的は、負荷時タップ切換器の完成後、変電所等の現地に変圧器を据付けた状態においても、油槽の接点以外の部分に荷重をかけることなく、油槽の接点の荷重と変位の測定を容易に実施可能な接点荷重測定装置を提供することである。また、本発明の第二の目的は、負荷時タップ切換器の完成後、変電所等の現地に変圧器を据付けた状態においても、油槽の接点以外の部分に荷重をかけることなく、油槽の接点の荷重と変位の測定および接点の清掃を容易に実施可能な接点荷重測定装置とその方法を提供することである。
【課題を解決するための手段】
【００１２】
本発明に係る接点荷重測定装置の第一の態様は、上部開口型の容器内に取り付けられて水平方向に付勢された接点の荷重を測定する接点荷重測定装置において、次のような技術的特徴を有するものである。すなわち、第一の態様の接点荷重測定装置は、前記接点からの反力を受けて荷重測定する荷重計と、この荷重計と機械的に連結されて荷重計を水平方向へ移動させる動作機構と、前記荷重計の変位を測定する変位計と、これらの荷重計、動作機構、変位計を支持し、かつ、荷重計を前記接点の取り付け高さに保持する支持ユニットを備える。この支持ユニットは、前記荷重計、動作機構、変位計を下部に取り付ける支柱とこの支柱の上部から水平方向に延設された支持枠とからなり、支柱を前記容器の上部開口から容器内に挿入して支持枠を上部開口縁部上に載置することで、荷重計、動作機構、変位計を支持し、かつ、荷重計を前記接点の取り付け高さに保持する。
【００１３】
以上のような第一の態様の接点荷重測定装置により、接点の荷重を測定する際には、まず、支持ユニットの支柱を容器の上部開口から容器内に挿入して支持枠を上部開口縁部上に載置することで、荷重計を接点の取り付け高さに保持する。この状態で、動作機構によって荷重計を水平方向に移動させて接点と接触させることにより、接点の荷重と変位を容易に測定できる。
【００１４】
本発明に係る接点荷重測定装置の第二の態様は、上述した第一の態様の接点荷重測定装置の技術的特徴に加えて、さらに次のような技術的特徴を有するものである。すなわち、第二の態様の接点荷重測定装置において、前記荷重計は、前記接点の取り付け高さに応じて決められた前記支柱の取り付け箇所に着脱可能に取り付けられる。この第二の態様の接点荷重測定装置はさらに、前記支柱の前記取り付け箇所に前記荷重計と代替的に着脱可能に取り付けられて前記接点を清掃する清掃用アタッチメントを備える。
【００１５】
以上のような第二の態様の接点荷重測定装置により、接点の荷重を測定する際には、前記接点の取り付け高さに応じて決められた前記支柱の取り付け箇所に前記荷重計を着脱可能に取り付けた状態で、支持ユニットの支柱を容器の上部開口から容器内に挿入して支持枠を上部開口縁部上に載置することで、荷重計を接点の取り付け高さに保持する。この状態で、動作機構によって荷重計を水平方向に移動させて接点と接触させることにより、接点の荷重と変位を容易に測定できる。また、接点を清掃する際には、前記荷重計を前記支柱の前記取り付け箇所から取り外してこの取り付け箇所に清掃用アタッチメントを取り付けて接点と接触させることにより、接点を容易に清掃できる。
【発明の効果】
【００１６】
本発明によれば、負荷時タップ切換器の完成後、変電所等の現地に変圧器を据付けた状態においても、油槽の接点以外の部分に荷重をかけることなく、油槽の接点の荷重と変位の測定を容易に実施可能な接点荷重測定装置を提供することができる。
【発明を実施するための最良の形態】
【００１７】
以下には、本発明を図５に示したような構成を有する負荷時タップ切換器の油槽１の接点８を対象とする接点荷重測定装置に適用した場合の複数の実施形態について、図面を参照して具体的に説明する。
【００１８】
［第１の実施形態］
［構成］
図１は、本発明を適用した第１の実施形態に係る接点荷重測定装置の構成を示す概略構成図である。図５の従来例について前述したように、図１においても、油槽１は上部開口型の垂直配置された円筒状容器であり、この油槽１中には切換開閉器２が収納され絶縁油で満たされている。また、測定対象となる油槽１の接点８は、油槽１下部の内壁面に取り付けられてバネ等の付勢手段により油槽１の中心に向かって突出する水平方向Ａ１に付勢されている。
【００１９】
この油槽１の接点８を対象とする本実施形態の接点荷重測定装置は、油槽１の接点８からの反力を受けて荷重測定する荷重計１１、この荷重計１１と機械的に連結されて荷重計１１を水平方向へ移動させる動作機構１２、荷重計１１の変位を測定する変位計１３、および、これらの荷重計１１、動作機構１２、変位計１３を支持し、かつ、荷重計１１を接点８の取り付け高さに保持する支持ユニット１４を備えている。
【００２０】
この支持ユニット１４は、荷重計１１、動作機構１２、変位計１３を下端部に取り付ける支柱１５とこの支柱１５の上端部から水平方向に延設された支持枠１６とからなる。この支持ユニット１４の支柱１５の垂直方向寸法は、油槽１の上部開口４の高さＨｔから接点８の取り付け高さＨｃまでの垂直方向寸法に応じて、支柱１５の下端部が、接点８の取り付け高さＨｃと一致する取り付け箇所Ｐとなるように決められている。
【００２１】
このようにして支柱１５の垂直方向寸法と取り付け箇所Ｐを決めることにより、支柱１５を油槽１の上部開口４から油槽１内に挿入して支持枠１６を上部開口４縁部のフランジ５上に載置して固定するだけで、荷重計１１、動作機構１２、変位計１３を支持し、かつ、荷重計１１を接点８の取り付け高さＨｃに保持することができる。また、支持枠１６の寸法形状は、この支持枠１６を油槽１のフランジ５に固定した際に、支柱１５が油槽１の水平断面における中央付近に位置するように設定されている。
【００２２】
一方、動作機構１２としては、一例として、モータ駆動などにより固定部に対して可動部を相対移動させることで、動作機構１２全体の寸法を伸縮させる方式の動作機構を使用する。この動作機構１２は、その固定部の一端で、支柱１５の下端部の取り付け箇所Ｐに取り付けられ、かつ、反対側の可動部の先端には、荷重計１１が取り付けられている。
【００２３】
これにより、動作機構１２の可動部を固定部に対して相対移動させ、動作機構１２全体の寸法を伸縮させることで、荷重計１１を接点８と接離する水平方向Ａへ自由に移動させることができる。
【００２４】
図中の２つの双方向矢印Ａ，Ａ１−Ａ２で示すように、以下の記載において、「水平方向Ａ」は、「水平方向Ａ１」と「水平方向Ａ２」の両方を含む意味で使用している。また、水平方向Ａにおける荷重計１１と接点８の移動に関しては、互いに接近する方向への移動とその方向を「前進」、「前進方向」とし、互いに離れる方向への移動とその方向を「後退」、「後退方向」として説明する。すなわち、荷重計１１にとって、水平方向Ａ１は後退方向、水平方向Ａ２は前進方向であり、接点８にとっては逆に、水平方向Ａ１は前進方向（および付勢方向）、水平方向Ａ２は後退方向となる。
【００２５】
また、変位計１３としては、一例として、固定部に対して相対移動可能な可動部を被測定対象の動作に連動させることで、変位計１３全体の寸法を伸縮させる方式の変位計を使用する。この変位計１３は、その固定部の一端で、支柱１５の取り付け箇所Ｐの下方の近接箇所に取り付けられ、かつ、反対側の可動部の先端は、荷重計１１の下部に機械的に連結されている。これにより、変位計１３の可動部を荷重計１１の水平方向Ａの動作に連動させ、変位計１３全体の寸法を伸縮させることで、荷重計１１の水平方向Ａの変位を測定することができる。
【００２６】
［作用］
以上のような構成を有する接点荷重測定装置によれば、次のようにして、油槽１の接点８の荷重と変位を容易に測定することができる。
【００２７】
すなわち、接点８の荷重を測定する際には、まず、支持ユニット１４の支柱１５を油槽１の上部開口４から油槽１内に挿入して支持枠１６を上部開口４縁部のフランジ５上に載置してフランジ５に固定する。これにより、荷重計１１を接点８の取り付け高さＨｃに到達させ、この高さに保持することができる。また、水平方向の位置合せについては、接点８の位置に応じて支持枠１６の水平方向の向きを決めることで、荷重計１１と接点８を容易に位置合せできる。
【００２８】
この状態で、動作機構１２を水平方向Ａ２に向かって伸長させることによって、荷重計１１を水平方向Ａ２に前進させ、接点８と接触させる。接点８と接触させた状態から荷重計１１をさらに水平方向Ａ２に前進させることにより、バネ等の付勢手段によって付勢されている接点８からの反力が徐々に大きくなる。荷重計１１は、このような接点８からの反力を受けて接点８の荷重を測定する。
【００２９】
また、この場合の荷重計１１の前進に追従して、荷重計１１と連動する変位計１３が水平方向Ａ２に向かって伸長することで、この変位計１３により接点８の変位が測定される。すなわち、接点８が荷重計１１と接触して付勢方向と逆方向（水平方向Ａ２）に押し戻されて後退する際の接点８の変位は、荷重計１１と連動して水平方向Ａ２に向かって伸長する変位計１３の変位に等しいため、変位計１３のこの変位を測定することにより、接点８の変位を測定することができる。
【００３０】
［効果］
以上のように、第１の実施形態によれば、荷重計、変位計、動作機構、支持ユニットという複数の構成要素を有機的に連係させてなる構造を有する複合型の接点荷重測定装置を実現することができる。この接点荷重測定装置を用いることで、負荷時タップ変圧器の油槽中の内壁面という特殊な環境下に配置された特殊な接点に対して、荷重計と変位計を適切な位置に容易に配置できるため、接点の荷重と変位の測定を容易に行うことができる。したがって、負荷時タップ切換器の完成後、変電所等の現地に変圧器を据付けた状態においても、油槽の接点以外の部分に荷重をかけることなく、油槽の接点荷重の測定を容易に実施可能な接点荷重測定装置を提供することができる。
【００３１】
また、支柱の取り付け箇所に伸縮方式の動作機構の一端を取り付け、この動作機構の他端に荷重計を取り付けたことにより、１組の荷重計と動作機構を支柱の一箇所で一括的に支持できるため、構成を簡素化でき、取扱いが容易である。さらに、このような荷重計と動作機構の構成に加えて、支柱における動作機構の下方に伸縮方式の変位計の一端を取り付け、この変位計の他端を荷重計に機械的に連結したことにより、並列配置された動作機構と変位計およびこれらに連結された荷重計からなる、簡素で測定精度に優れた取扱い易い測定ユニット部を実現できる。
【００３２】
［第２の実施形態］
図２は、本発明を適用した第２の実施形態に係る接点荷重測定装置の構成を示す概略構成図である。本実施形態の接点荷重測定装置においては、図１に示した第１の実施形態の構成に加えて、さらに、次のような特徴を有する。
【００３３】
すなわち、図１に示した荷重計１１は、本実施形態においては、支柱１５の取り付け箇所Ｐに取り付けられた動作機構１２に対して着脱可能に取り付けられ、図２に示すように、動作機構１２に対して代替的に着脱可能な清掃用のアタッチメント２１と交換可能とされている。このアタッチメント２１としては、図示しないモータを内蔵しており、モータの電源を入れることにより、水平方向の軸２１ａによって図中の矢印Ｂに示すように垂直回転する方式のものを使用する。
【００３４】
以上のような構成を有する本実施形態の接点荷重測定装置によれば、第１の実施形態と同様に、油槽１の接点８の荷重と変位を容易に測定することができることに加えて、アタッチメント２１により接点８の清掃を容易に行うことができる。
【００３５】
すなわち、接点荷重測定装置の荷重計１１（図１）をアタッチメント２１に交換して、支持ユニット１４を、荷重測定時と同様に油槽１に固定することにより、荷重計１１を接点８と対向する位置に保持する。この状態で、動作機構１２を水平方向Ａ２に向かって伸長させることによって、アタッチメント２１を水平方向Ａ２に前進させて、接点８を水平方向Ａ１に若干後退させた状態で停止させる。
【００３６】
この時点でアタッチメント２１のモータの電源を入れてアタッチメント２１を回転させることにより、接点８からアタッチメント２１に加わる反力によって両者間に生じる摩擦力を利用して接点８を容易かつ効果的に清掃することができる。
【００３７】
以上のように、第２の実施形態によれば、第１の実施形態と同様の構成を有する接点荷重測定装置に、荷重計と交換可能な清掃用のアタッチメントを組み合わせることで、負荷時タップ変圧器の油槽中の内壁面という特殊な環境下に配置された特殊な接点に対して、接点の荷重と変位の測定だけでなく、接点の清掃を容易に行うことができる。したがって、負荷時タップ切換器の完成後、変電所等の現地に変圧器を据付けた状態においても、油槽の接点以外の部分に荷重をかけることなく、油槽の接点の荷重と変位の測定および接点の清掃を容易に実施可能な接点荷重測定装置を提供することができる。
【００３８】
［第３の実施形態］
図３は、本発明を適用した第３の実施形態に係る接点荷重測定装置の構成を示す概略構成図である。本実施形態の接点荷重測定装置においては、図１に示した第１の実施形態の構成に加えて、さらに、次のような特徴を有する。
【００３９】
すなわち、本実施形態においては、接点の荷重と変位に関するデータを保存および画面表示する制御装置３１が、個別のケーブル３２を介して荷重計１１と変位計１３にそれぞれ接続されている。この制御装置３１は、演算回路、メモリ、ディスプレイを有する汎用のパーソナルコンピュータやモバイル型電子機器等の各種の電子機器により容易に実現可能である。
【００４０】
以上のような構成を有する本実施形態の接点荷重測定装置によれば、荷重計１１と変位計１３により測定された接点の荷重と変位を示す電気信号が、ケーブル３２を介して制御装置３１にそれぞれ伝送される。制御装置３１は、受信した電気信号をディジタル処理し、接点８の荷重と変位の測定値データを画面表示すると共に電子データとして保存する。
【００４１】
したがって、第３の実施形態によれば、測定者が、測定の都度、荷重計、変位計を直接確認してその場で記録する必要がなくなり、測定した接点の荷重と変位の測定値データを制御装置の画面で容易に確認できると共に、確認したデータをそのまま電子データとして保存することが可能となる。その結果、測定者の作業負担の軽減および作業時間の短縮に寄与できると共に、保存した測定データを有効活用することが可能となる。
【００４２】
［第４の実施形態］
図４は、本発明を適用した第４の実施形態に係る接点荷重測定装置の構成を示す概略構成図である。本実施形態の接点荷重測定装置は、図３に示した第３の実施形態の構成に加えて、さらに、支柱１５の歪を電気信号に変換する検出器４１が支柱１５の取り付け箇所Ｐ近傍に配置されており、ケーブル３２を介して制御装置３１と接続されている。次のような特徴を有する。
【００４３】
以上のような構成を有する本実施形態の接点荷重測定装置によれば、荷重計１１と変位計１３により測定された接点の荷重と変位を示す電気信号に加えて、検出器４１により検出された支柱１５の歪を示す電気信号が、ケーブル３２を介して制御装置３１にそれぞれ伝送される。制御装置３１は、受信した電気信号をディジタル処理し、接点８の荷重と変位の測定値に対し、支柱１５の歪により歪補正を実施して、補正後の荷重と変位のデータを画面表示すると共に電子データとして保存する。
【００４４】
したがって、第４の実施形態によれば、第３の実施形態の効果に加えてさらに、測定した荷重と変位の測定値に対して歪補正を実施することができるため、測定精度を向上することができる。しかも、測定者が、測定の都度、測定した荷重と変位の測定値に対してその場で歪補正を実施する必要がなく、自動的に歪補正を実施した接点荷重と変位を制御装置の画面で容易に確認してそのまま電子データとして保存することが可能となる。その結果、測定者の作業負担や作業時間を増大させることなく、より精度の高い測定データを電子データとして保存し、有効活用することが可能となる。
【００４５】
［他の実施形態］
なお、本発明は、前述した実施形態に限定されるものではなく、本発明の範囲内で他にも多種多様な変形例が実施可能である。
【００４６】
例えば、前述した各実施形態においては、一例として、動作機構１２の下方に変位計１３を配置したが、変形例として、動作機構１２の上方や側方に変位計１３を配置する等、変位計１３と動作機構１２の位置関係は自由に選択可能である。その場合にも、動作機構と変位計を並列配置してその一端を支柱に取り付け、他端に荷重計を連結することにより、前記実施形態と同様に、簡素で測定精度に優れた取扱い易い測定ユニット部を実現できる。
【００４７】
さらに、前述した各実施形態においては、支柱１５に対し、動作機構１２を介して間接的に荷重計１１を取り付けたが、荷重計１１は、支柱１５に対して相対移動可能であれば、その取り付け構成は自由であるため、変形例として、荷重計１１を支柱１５に直接取り付けることも考えられる。
【００４８】
また、油槽１の円周方向において支柱１５の取り付け箇所Ｐを油槽１の接点８と位置合せするための位置合せ手段を設けることも考えられる。このような位置合せ手段は、例えば、固定用のボルト孔配置や凹凸係合等を利用した機械的な位置規制構造を用いて、支持枠１６とフランジ５の円周方向における位置関係を機械的に規制する手法、あるいは、位置合せ用マーキング表示を設ける手法等の各種の既存の手法により容易に実現可能である。
【００４９】
また、荷重計、動作機構、変位計、支持ユニット等の個々の構成要素自体は、既存の各種の測定器や動作機構、および各種の支持・固定方式を利用して容易に実現可能である。また、電気信号を伝送する伝送手段は、ケーブルに限らず、無線を利用した伝送手段としてもよい。
【００５０】
すなわち、本発明は、負荷時タップ変圧器の油槽中という特殊な環境下に配置された特殊な接点に対して、測定器を適切な位置に配置して測定を容易に行うために、荷重計、変位計、動作機構、支持ユニットといった複数の構成要素を有機的に連係させてなる複合型の測定装置を開発するに至ったものである。したがって、本発明の最も重要な特徴は、このような複数の構成要素の有機的な連係構造であるため、個々の構成要素の具体的な構成は、この装置全体としてのそのような有機的な連携構造を実現することができる限り、自由に選択可能である。
【００５１】
さらに、本発明は、負荷時タップ変圧器の油槽の接点に限らず、上部開口型の容器内に取り付けられて水平方向に付勢される方式の各種の接点の負荷測定用の装置として同様に適用可能であり、同様に優れた効果が得られるものである。
【図面の簡単な説明】
【００５２】
【図１】本発明を適用した第１の実施形態に係る接点荷重測定装置の構成を示す概略構成図。
【図２】本発明を適用した第２の実施形態に係る接点荷重測定装置の構成を示す概略構成図。
【図３】本発明を適用した第３の実施形態に係る接点荷重測定装置の構成を示す概略構成図。
【図４】本発明を適用した第４の実施形態に係る接点荷重測定装置の構成を示す概略構成図。
【図５】本発明の適用対象となる負荷時タップ切換器の構成を示す模式図。
【符号の説明】
【００５３】
１…油槽
４…上部開口
５…フランジ
８…接点
１１…荷重計
１２…動作機構
１３…変位計
１４…支持ユニット
１５…支柱
１５…支持枠
２１…アタッチメント
３１…制御装置
３２…ケーブル
４１…検出器
【図１】
2010141214.tif 000003
【図２】
2010141214.tif 000004
【図３】
2010141214.tif 000005
【図４】
2010141214.tif 000006
【図５】
2010141214.tif 000007